(57)【要約】【課題】  本発明は、農業用フィルムとして使用できる強度と耐候性を備え、太陽光からの光線量を十分透過すると共に、長期間に亘って太陽光からの熱線を十分遮蔽することのできる遮熱性農業用フィルムを提供する。【解決手段】  本発明の遮熱性農業用フィルムは、熱可塑性樹脂１００重量部と、表面が酸化チタンで被覆された雲母０．１〜１０重量部とからなり、上記表面が酸化チタンで被覆された雲母は、その１０％粒子径が３μｍ以上で且つ９０％粒子径が８０μｍ以下であると共に酸化チタンによる雲母の被覆率が３５〜７０％であることを特徴とするので、機械的強度、耐候性に優れ、太陽光からの光線量を十分透過すると共に、長期間に亘って太陽光からの熱線を十分に遮蔽することができ、よって、所望の農作物の生育不良や病害を防ぎ、良品率を向上させることができる。【選択図】  なし【特許請求の範囲】
【請求項１】
熱可塑性樹脂１００重量部と、表面が酸化チタンで被覆された雲母０．１〜１０重量部とからなり、上記表面が酸化チタンで被覆された雲母は、その１０％粒子径が３μｍ以上で且つ９０％粒子径が８０μｍ以下であると共に酸化チタンによる雲母の被覆率が３５〜７０％であることを特徴とする遮熱性農業用フィルム。
【請求項２】
熱可塑性樹脂がポリオレフィン系樹脂であることを特徴とする請求項１に記載の遮熱性農業用フィルム。
【請求項３】
少なくとも一面に熱可塑性樹脂フィルムが積層一体化されていることを特徴とする請求項１又は請求項２の記載の遮熱性農業用フィルム。
【請求項４】
熱可塑性樹脂フィルムがポリオレフィン系樹脂フィルムであることを特徴とする請求項３に記載の遮熱性農業用フィルム。
【発明の詳細な説明】
【技術分野】
【０００１】
本発明は、農作物の栽培施設に使用される遮熱性農業用フィルムに関する。詳しくは、透明性を有し、且つ優れた遮熱性を有する農業用ハウスの外張りとして好適に使用される遮熱性農業用フィルムに関する。
【背景技術】
【０００２】
一般に、ほうれん草、小松菜、チンゲン菜、セロリ、水菜などの軟弱野菜は農業用フィルムを外張りした農業用ハウス内で栽培される。上記軟弱野菜の栽培には、太陽光からの熱線をある程度遮蔽する必要があるものの、太陽光からの光線を農業用ハウス内に十分に透過させる必要もある。太陽光からの光線量が不足すると、作物の生育不良や野菜の品質低下を生じてしまう。一方、太陽光からの熱線が全く遮蔽されていなければ、特に５月から９月頃の比較的気温が高い時期に上記軟弱野菜を栽培した場合、その他の比較的気温が低い時期に比べ、発芽率の低下や生育遅延、ほうれん草においては萎凋病、小松菜などにおいては萎黄病などの病害が発生しやすく、収穫した野菜の良品率も低下してしまうという問題が生じた。
【０００３】
上記問題を解決するために、従来は高温時の軟弱野菜の栽培を休止するか、或いは農業用塩化ビニルフィルムや農業用ポリオレフィン系フィルムなどの農業用フィルムの外面に、更に寒冷紗、遮光ネット、遮光幕、不織布などの遮光資材を重ね合わせて農業用の透明フィルムの外面を遮光資材で被覆して、軟弱野菜を栽培する方法がとられていた。しかしながら、上記方法では、太陽光からの熱線の遮蔽はできても、太陽光からの光線量が不足し、軟弱野菜の生育不良や品質低下が生じた。
【０００４】
更に、別の方法として、農業用の透明フィルム中に熱線遮蔽剤を練りこみ、農業用ハウスを農業用の透明フィルムで被覆することで、太陽光からの熱線を遮蔽する方法もある。例えば、特許文献１及び特許文献２には、熱線吸収剤としてナフタロシアニン化合物を用いた方法が開示されている。しかしながら、上記方法では、ナフタロシアニン化合物の耐候性及び熱線遮蔽効果の持続性に問題があった。
【０００５】
又、特許文献３及び特許文献４には、アンチモンがドープされた酸化スズ（以下「ＡＴＯ」と略す）微粒子或いはスズがドープされた酸化インジウム（以下「ＩＴＯ」と略す）微粒子を含む溶液をフィルム基材表面に塗布する方法が開示されている。更に、ＡＴＯ微粒子やＩＴＯ微粒子を熱可塑性樹脂フィルム中に練りこむ方法が特許文献５に開示されている。しかしながら、何れの方法も、ＡＴＯ微粒子やＩＴＯ微粒子の価格が非常に高価であり、経済的にも不利になること、又、ＡＴＯ微粒子やＩＴＯ微粒子をフィルム基材に塗布する場合においては、塗布された塗膜が基材から剥離し、熱線遮蔽効果が減少するという問題点があった。
【０００６】
【特許文献１】特開２００３−２６５０３３号公報
【特許文献２】特開２００３−２６５０３４号公報
【特許文献３】特開平１０−２５０００１号公報
【特許文献４】特開平１０−２５０００２号公報
【特許文献５】特開平９−１４０２７５号公報
【発明の開示】
【発明が解決しようとする課題】
【０００７】
本発明は、農業用フィルムとして使用できる強度と耐候性を備え、太陽光からの光線を十分透過すると共に、長期間に亘って太陽光からの熱線を十分遮蔽することのできる遮熱性農業用フィルムを提供する。
【課題を解決するための手段】
【０００８】
本発明の遮熱性農業用フィルムは、熱可塑性樹脂１００重量部と、表面が酸化チタンで被覆された雲母０．１〜１０重量部とからなり、上記表面が酸化チタンで被覆された雲母は、その１０％粒子径が３μｍ以上で且つ９０％粒子径が８０μｍ以下であると共に酸化チタンによる雲母の被覆率が３５〜７０％であることを特徴とする。
【０００９】
本発明に使用される熱可塑性樹脂としては、従来から農業用フィルムに使用されているものが用いられ、例えば、低密度ポリエチレン、中密度ポリエチレン、高密度ポリエチレン、エチレン−α−オレフィン共重合体、エチレン−酢酸ビニル共重合体などのポリエチレン系樹脂、ホモポリプロピレン、プロピレン−α−オレフィン共重合体、プロピレン−酢酸ビニル共重合体などのプロピレン系樹脂などのポリオレフィン系樹脂；ポリ塩化ビニル系樹脂；ポリエステル系樹脂；ポリメチルメタクリレート系樹脂；ポリカーボネート系樹脂などが挙げられ、これらは単独で使用されても、二種以上が併用されてもよい。上記熱可塑性樹脂としては、これらの中でも、ポリオレフィン系樹脂が好ましく、ポリエチレン系樹脂がより好ましく、エチレン−α−オレフィン共重合体、エチレン−酢酸ビニル共重合体が特に好ましい。
【００１０】
なお、エチレン−α−オレフィン共重合体を構成するα−オレフィンとしては、例えば、プロピレン、１−ブテン、４−メチル−１−ペンテン、１−へキセン、１−オクテンなどが挙げられ、又、プロピレン−α−オレフィン共重合体を構成するα−オレフィンとしては、エチレン、１−ブテン、４−メチル−１−ペンテン、１−へキセン、１−オクテンなどが挙げられる。
【００１１】
上記表面が酸化チタンで被覆された雲母（以下、「酸化チタン被覆雲母」ということもある）は熱線遮蔽剤として用いられる。酸化チタン被覆雲母における酸化チタンによる雲母の被覆率は、低いと、太陽光からの熱線遮蔽性が不足することがある一方、高いと、遮熱性農業用フィルムの透明性が低下し、或いは、酸化チタンの有する触媒活性によって遮熱性農業用フィルムの耐候性が低下するので、３５〜７０％に限定され、４５〜６０％が好ましい。この酸化チタン被覆雲母の製造方法としては、特に限定されず、例えば、四塩化チタンの加水分解により雲母表面に水酸化チタンを被覆させ、更に、焼結して酸化チタンを結晶化させる方法が挙げられる。
【００１２】
なお、上記酸化チタンの雲母表面への被覆率は、表面が酸化チタンで被覆された雲母中における二酸化チタン換算での酸化チタンの重量比率を表したものをいう。
【００１３】
上記酸化チタン被覆雲母の１０％粒子径は、小さいと、太陽光からの熱線遮蔽の効果が低下するので、３μｍ以上に限定され、５μｍ以上が好ましい。又、上記酸化チタン被覆雲母の９０％粒子径は、大きいと、遮熱性農業用フィルムの透明性が低下し或いは強度が低下するので、８０μｍ以下に限定され、６５μｍ以下が好ましい。
【００１４】
なお、酸化チタン被覆雲母の１０％粒子径及び９０％粒子径とは、下記の要領で測定されたものをいう。先ず、測定対象となる酸化チタン被覆雲母の粒度分布をレーザー回折法によって測定する。そして、得られた酸化チタン被覆雲母の重量基準の粒度分布において、最も粒子径の小さい酸化チタン被覆雲母から、粒子径の大きい酸化チタン被覆雲母に向かって、１０％累積となった粒子径を酸化チタン被覆雲母の１０％粒子径とし、９０％累積となった粒子径を酸化チタン被覆雲母の９０％粒子径とする。
【００１５】
上記酸化チタン被覆雲母としては、例えば、メルク株式会社から、商品名「Ｉｒｉｏｄｉｎ１２３」「Ｉｒｉｏｄｉｎ２２１」「Ｓｏｌａｒｆｌａｉｒ８７０」「Ｓｏｌａｒｆｌａｉｒ８７５」などとして市販されている。
【００１６】
遮熱性農業用フィルム中の酸化チタン被覆雲母の含有量は、少ないと、太陽光からの熱線遮蔽の効果が低下する一方、多いと、遮熱性農業用フィルムの透明性が低下するので、遮熱性農業用フィルムを構成する熱可塑性樹脂１００重量部に対し、０．１〜１０重量部に限定され、０．５〜５重量部が好ましい。
【００１７】
上記遮熱性農業用フィルムには、本発明の効果を阻害しない範囲で、必要に応じて無機保温剤、有機保温剤、光安定剤、酸化防止剤、紫外線吸収剤、防霧剤、滑剤、顔料などが添加されてもよい。
【００１８】
上記無機保温剤は、遮熱性農業用フィルムの保温性向上及びフィルム成形時の押出し変動防止の二つの目的で添加される。無機保温剤としては、例えば、酸化マグネシウム、酸化カルシウム、酸化アルミニウム、炭酸マグネシウム、炭酸カルシウム、硫酸マグネシウム、硫酸カルシウム、硫酸アルミニウム、燐酸リチウム、燐酸カルシウム、珪酸マグネシウム、珪酸カルシウム、珪酸アルミニウム、カオリン、クレー、タルク、ハイドロタルサイト類、リチウムアルミニウム複合水酸化物、及び、アルカリ金属、アルカリ土類金属、遷移金属、２Ｂ族元素、珪素以上の４Ｂ族元素から選ばれる少なくとも二種以上の元素を有する複合水酸化物などが挙げられ、これらは単独で用いられても、二種以上が併用されてもよい。
【００１９】
上記光安定剤としては、従来公知のものが使用できるが、これらのなかでも、ヒンダードアミン系光安定剤が好ましい。ヒンダードアミン系光安定剤としては、例えば、コハク酸ジメチル−１−（２−ヒドロキシエチル）−４−ヒドロキシ−２，２，６，６−テトラメチルピペリジン重縮合物、テトラキス（２，２，６，６−テトラメチル−４−ピペリジル）−１，２，３，４−ブタンテトラカルボキシレート、ポリ｛［６−［（１，１，３，３‐テトラメチルブチル）アミノ］−１，３，５−トリアジン−２，４−ジイル］［（２，２，６，６−テトラメチル−４−ピペリジル）イミノ］ヘキサメチレン［（２，２，６，６−テトラメチル−４−ピペリジル）イミノ］｝などが挙げられ、これらは単独で用いられても、二種以上が併用されてもよい。
【００２０】
上記酸化防止剤としては、従来公知のものが使用できるが、熱安定剤としての効果を兼ね備えているものが好ましい。このような酸化防止剤としては、例えば、カルボン酸の金属塩、フェノール系抗酸化剤、有機亜燐酸エステルなどのキレーターが挙げられ、単独で用いられても、二種以上が併用されてもよい。
【００２１】
上記紫外線吸収剤としては、従来公知のものが使用でき、例えば、２，４−ジヒドロキシベンゾフェノン、２−ヒドロキシ−４−オクトキシベンゾフェノン、２−ヒドロキシ−４−ドデシルオキシベンゾフェノン、２，２’−ジヒドロキシ−４−メトキシベンゾフェノン、２，２’−ヒドロキシ−４，４’−ジメトキシベンゾフェノン、２−ヒドロキシ−４−メトキシ−５−スルホベンゾフェノンなどのベンゾフェノン系紫外線吸収剤、２−（２’−ヒドロキシ−５’−ｔｅｒｔ−ブチルフェニル）ベンゾトリアゾール、２−（２’−ヒドロキシ−５’−メチルフェニル）ベンゾトリアゾール、２−（２’−ヒドロキシ−３’−ｔｅｒｔ−ブチル−５−メチルフェニル）−５−クロロベンゾトリアゾール、２−（２’−ヒドロキシ−３’，５’−ジ−ｔｅｒｔ−ブチルフェニル）−５−クロロベンゾトリアゾール、２−（２’−ヒドロキシ−３’，５’−ジ−ｔｅｒｔ−アミルフェニル）−５−クロロベンゾトリアゾールなどのベンゾトリアゾール系紫外線吸収剤、サリチル酸エステル系紫外線吸収剤、シアノアクリレート系紫外線吸収剤などが挙げられ、単独で用いられても、二種以上が併用されてもよい。
【００２２】
上記防霧剤としては、従来公知のものが使用でき、例えば、シリコーン系、フッ素系などの界面活性剤が挙げられる。上記滑剤としては、従来公知のものが使用でき、例えば、ステアリン酸アマイドなどの飽和脂肪酸アマイド、エルカ酸アマイド、オレイン酸アマイドなどの不飽和脂肪酸アマイド、エチレンビスステアリン酸アマイドなどのビスアマイドなどが挙げられる。
【００２３】
上記遮熱性農業用フィルムは単層からなるものでもよいが、単層の遮熱性農業用フィルムよりもフィルム強度及びアンチブロッキング性に優れる多層の遮熱性農業用フィルムでもあってもよく、遮熱性農業用フィルムの少なくとも一面に熱可塑性樹脂フィルムが積層一体化されることが好ましく、遮熱性農業用フィルムの両面に熱可塑性樹脂フィルムが積層一体化されることがより好ましい。
【００２４】
上記熱可塑性樹脂フィルムに用いられる熱可塑性樹脂としては、例えば、低密度ポリエチレン、中密度ポリエチレン、高密度ポリエチレン、エチレン−α−オレフィン共重合体、エチレン−酢酸ビニル共重合体などのポリエチレン系樹脂、ホモポリプロピレン、プロピレン−α−オレフィン共重合体、プロピレン−酢酸ビニル共重合体などのプロピレン系樹脂などのポリオレフィン系樹脂；ポリ塩化ビニル系樹脂；ポリエステル系樹脂；ポリメチルメタクリレート系樹脂；ポリカーボネート系樹脂などが挙げられ、これらは単独で使用されても、二種以上が併用されてもよい。これらの熱可塑性樹脂フィルムに用いられる熱可塑性樹脂の中でも、遮熱性農業用フィルムがフィルム強度及びアンチブロッキング性に優れるという点から、エチレン−α−オレフィン共重合体が好ましい。
【００２５】
遮熱性農業用フィルムの成形方法としては、従来公知の方法が採用されてよく、遮熱性農業用フィルムが単層の場合には、例えば、インフレーション法、Ｔダイ押出法、カレンダー法などが挙げられ、遮熱性農業用フィルムが多層の場合には、例えば、上記方法により各層を形成するフィルムを製膜した後に複数枚のフィルムを重ね合わせて積層一体化する方法、Ｔダイ押出法やインフレーション法による多層押出法などが挙げられ、インフレーション法による多層押出法が好ましい。
【００２６】
上記遮熱性農業用フィルムには、その表面に生じた結露水を水膜状にして円滑に下方に向かって流下させるために、本発明の効果を阻害しない範囲で、遮熱性農業用フィルムに防曇剤を練りこんでもよい。このような防曇剤としては、従来公知のものが使用でき、例えば、グリセリンステアリン酸エステル、ジグリセリンステアリン酸エステル、ポリグリセリンステアリン酸エステル、ソルビトールグリセリンステアリン酸エステルなどの多価アルコール飽和脂肪酸エステル；グリセリンオレイン酸エステル、ジグリセリンオレイン酸エステルなどの多価アルコール不飽和脂肪酸エステルなどが挙げられ、単独で用いられても、二種以上が併用されてもよい。
【００２７】
又、遮熱性農業用フィルムに防曇剤を練りこむ代わりに、遮熱性農業用フィルムの表面に防曇性被膜を形成させてもよい。このような防曇性被膜としては、例えば、コロイダルシリカやコロイダルアルミナに代表される無機酸化物ゾルのコーティング膜、界面活性剤を主成分とする液のコーティング膜、ポリビニルアルコール、ポリエチレンオキサイド、多糖類、ポリアクリル酸などの親水性樹脂を主成分とする膜が挙げられる。なお、コロイダルシリカやコロイダルアルミナを主成分とする無機酸化ゾルのコーティング膜には、必要に応じて、界面活性剤、合成樹脂を添加してもよい。そして、上記防曇性被膜を遮熱性農業用フィルムの表面に形成させる方法としては、例えば、グラビアコーターなどのロールコート法、バーコード法、ディップコート法、スプレー法、はけ塗り法などが挙げられる。
【００２８】
本発明の遮熱性農業用フィルムの厚さは、薄いと、遮熱性農業用フィルムの機械的強度や遮熱効果が低下することがある一方、厚いと、遮熱性農業用フィルムの裁断、接合、展張作業などが困難になり、取扱い性が低下することがあるので、２０〜２００μｍが好ましく、５０〜１５０μｍがより好ましい。
【発明の効果】
【００２９】
本発明の遮熱性農業用フィルムは、熱可塑性樹脂１００重量部と、表面が酸化チタンで被覆された雲母０．１〜１０重量部とからなり、上記表面が酸化チタンで被覆された雲母は、その１０％粒子径が３μｍ以上で且つ９０％粒子径が８０μｍ以下であると共に酸化チタンによる雲母の被覆率が３５〜７０％であることを特徴とするので、農業用フィルムとして使用できる強度と耐候性を備えているだけでなく、太陽光からの光線量を十分透過すると共に、長期間に亘って太陽光からの熱線を十分に遮蔽することができる。
【実施例】
【００３０】
以下に実施例を挙げて本発明の態様を更に詳しく説明するが、本発明はこれら実施例にのみ限定されるものではない。
【００３１】
（実施例１）
直鎖状低密度ポリエチレン（密度：０．９２０ｇ／ｃｍ3 、メルトマスフローレイト：０．７ｇ／１０分）７０重量部及び低密度ポリエチレン（密度：０．９２２ｇ／ｃｍ3 、メルトフローレイト：０．４ｇ／１０分）３０重量部を第一押出機に、エチレン−酢酸ビニル共重合体Ａ１００重量部（密度：０．９３８ｇ／ｃｍ3 、メルトマスフローレイト：１．０ｇ／１０分、酢酸ビニル含有率：１５重量％）及び酸化チタン被覆雲母Ａ（メルク株式会社製  商品名「Ｓｏｌａｒｆｌａｉｒ８７０」、１０％粒子径：５μｍ、９０％粒子径：６０μｍ、酸化チタンによる雲母の被覆率：４５％）５重量部を第二押出機に、エチレン−酢酸ビニル共重合体Ｂ（密度：０．９２８ｇ／ｃｍ3 、メルトマスフローレイト：０．６ｇ／１０分、酢酸ビニル含有率：５重量％）１００重量部を第三押出機にそれぞれ供給して溶融混練した後、第一〜三押出機から、層（Ａ）、層（Ｂ）及び層（Ｃ）の厚さ比が１：７：２になるようにインフレーション法で三層共押出成形し、層（Ａ）、層（Ｂ）及び層（Ｃ）がこの順で三層に積層一体化されてなる総厚さ１００μｍの遮熱性農業用フィルムを得た。なお、上記メルトマスフローレイトはＪＩＳ  Ｋ７２１０に準拠して、温度１９０℃、荷重２１．１８Ｎの条件下で測定された値である。
【００３２】
（実施例２）
層（Ｂ）を構成する熱可塑性樹脂として、エチレン−酢酸ビニル共重合体Ａの代わりに直鎖状低密度ポリエチレン（密度：０．９２０ｇ／ｃｍ3 、メルトマスフローレイト：０．７ｇ／１０分）を用いたこと以外は実施例１と同様にして、遮熱性農業用フィルムを得た。
【００３３】
（実施例３）
層（Ｂ）の酸化チタン被覆雲母を５重量部の代わりに０．５重量部としたこと以外は実施例１と同様にして、遮熱性農業用フィルムを得た。
【００３４】
（実施例４）
層（Ｂ）の酸化チタン被覆雲母Ａを５重量部の代わりに８重量部としたこと以外は実施例１と同様にして、遮熱性農業用フィルムを得た。
【００３５】
（実施例５）
層（Ｂ）の酸化チタン被覆雲母の代わりに、１０％粒子径が５μｍで且つ９０％粒子径が２５μｍであると共に酸化チタンによる雲母の被覆率が５０％である酸化チタン被覆雲母Ｂ（メルク株式会社製  商品名「Ｓｏｌａｒｆｌａｉｒ８７５」）を用いたこと以外は実施例１と同様にして、遮熱性農業用フィルムを得た。
【００３６】
（実施例６）
層（Ｂ）の酸化チタン被覆雲母の代わりに、１０％粒子径が５μｍで且つ９０％粒子径が２５μｍであると共に酸化チタンによる雲母の被覆率が３９％である酸化チタン被覆雲母Ｃ（メルク株式会社製  商品名「Ｉｒｉｏｄｉｎ１２３」）を用いたこと以外は実施例１と同様にして、遮熱性農業用フィルムを得た。
【００３７】
（比較例１）
層（Ｂ）の酸化チタン被覆雲母Ａを５重量部の代わりに１５重量部としたこと以外は実施例１と同様にして、遮熱性農業用フィルムを得た。
【００３８】
（比較例２）
層（Ｂ）の酸化チタン被覆雲母Ａの代わりに、１０％粒子径が１０μｍで且つ９０％粒子径が１２５μｍであると共に酸化チタンによる雲母の被覆率が３６％である酸化チタン被覆雲母Ｄ（メルク株式会社製  商品名「Ｉｒｉｏｄｉｎ２９９」）を用いたこと以外は実施例１と同様にして、遮熱性農業用フィルムを得た。
【００３９】
（比較例３）
層（Ｂ）の酸化チタン被覆雲母Ｄを５重量部の代わりに０．５重量部としたこと以外は比較例２と同様にして、遮熱性農業用フィルムを得た。
【００４０】
（比較例４）
層（Ｂ）の酸化チタン被覆雲母Ａの代わりに、１０％粒子径が１０μｍで且つ９０％粒子径が６０μｍである共に酸化チタンによる雲母の被覆率が３０％である酸化チタン被覆雲母Ｅ（メルク株式会社製  商品名「Ｉｒｉｏｄｉｎ１０３」）を用いたこと以外は実施例１と同様にして、遮熱性農業用フィルムを得た。
【００４１】
（比較例５）
層（Ｂ）の酸化チタン被覆雲母Ａの代わりにカーボンブラック（平均粒子径２０μｍ）０．３重量部を用いたこと以外は実施例１と同様にして、遮熱性農業用フィルムを得た。
【００４２】
（比較例６）
層（Ｂ）のカーボンブラックを０．３重量部の代わりに３重量部としたこと以外は比較例５と同様にして、遮熱性農業用フィルムを得た。
【００４３】
（比較例７）
層（Ｂ）の酸化チタン被覆雲母Ａの代わりに酸化チタン（平均粒子径２０μｍ）３重量部を用いたこと以外は実施例１と同様にして、遮熱性農業用フィルムを得た。
【００４４】
（評価試験）
実施例および比較例で得られた遮熱性農業用フィルムについて、以下の通りの評価試験を実施し、その結果を表１に示した。
【００４５】
（全光線透過率）
得られた遮熱性農業用フィルムの５５０ｎｍにおける全光線透過率を濁度計（日本電色工業株式会社製、商品名「ＮＤＨ２０００」）を用いて測定した。
【００４６】
（熱線遮断率）
自記分光光度計（日立製作所製、商品名「Ｕ−３５００」）を用いて３００〜２１００ｎｍでの遮熱性農業用フィルムの全光線透過率を測定した。次に、測定された全光線透過率と、太陽からの日射エネルギーの波長依存性データとから遮熱性農業用フィルムを透過するエネルギー（Ｃ）を計算した。この透過エネルギー（Ｃ）と、フィルムを透過しない場合の太陽光エネルギー（Ｄ）とに基づいて下記式により熱線遮断率を算出した。
熱線遮断率（％）＝  １００  ×  ［（Ｃ）／（Ｄ）］
【００４７】
（遮熱性）
密閉したパイプハウス（縦１．５ｍ×横１ｍ×奥行２．５ｍ）に、得られた遮熱性農業用フィルムを展張し、夏場の日中の地温、気温を測定した。地温は、パイプハウス中央部とパイプハウス外において土中深さ１０ｃｍの地温を熱電対を用いてそれぞれ測定した。気温は、快晴時の午後２時に、密閉パイプハウスの内外でそれぞれ測定した。これらの地温、気温に基づいて下記式により地温差及び気温差を算出した。
地温差（℃）＝（パイプハウス中央部の地温）−（パイプハウス外の地温）
気温差（℃）＝（パイプハウス内の気温）−（パイプハウス外の気温）
【００４８】
【表１】
2007111002.tif 000002